(57)【要約】【課題】当該電気機器に接続されたテレビジョン受像機などの映像表示装置の電源が切られている状態で当該電気機器において実行されたソフトウェアの更新処理に関する情報をユーザに認知させることのできる電気機器を提供すること。【解決手段】映像表示装置の電源が切れているときにソフトウェアの更新処理が実行された後，次に前記映像表示装置の電源が入れらたときに（Ｓ９のＹｅｓ側），前記ソフトウェアの更新処理に関するソフトウェア更新情報を前記映像表示装置に表示させる（Ｓ５３）。【選択図】図２
2008141504.tif 000002
【特許請求の範囲】
【請求項１】
映像を表示する映像表示装置との間でＣＥＣ規格を含むＨＤＭＩ規格に準拠した方式で通信を行うＨＤＭＩ通信手段と，
当該電気機器の制御処理に用いられるソフトウェアを更新するための更新データを取得する更新データ取得手段と，
前記更新データ取得手段によって取得された前記更新データに基づいて前記ソフトウェアの更新処理を実行するソフトウェア更新処理手段と，
を備えてなる電気機器であって，
前記ＨＤＭＩ通信手段を通じて前記映像表示装置の電源の入切状態を検知する電源入切状態検知手段と，
前記電源入切状態検知手段により前記映像表示装置の電源の切状態が検知されているときに前記ソフトウェア更新処理手段によって前記ソフトウェアの更新処理が実行された後，次に前記電源入切状態検知手段によって前記映像表示装置の電源の入状態が検知された場合に，前記ソフトウェアの更新処理に関するソフトウェア更新情報を，前記ＨＤＭＩ通信手段を通じて前記映像表示装置に表示させるソフトウェア更新情報表示手段と，
を備えてなることを特徴とする電気機器。
【請求項２】
前記ソフトウェア更新情報表示手段が，ＣＥＣ規格で規定された通信プロトコルのＯＳＤ表示コマンドを用いて前記ソフトウェア更新情報を前記映像表示装置に送信することにより，該映像表示装置に前記ソフトウェア更新情報を表示させるものである請求項１に記載の電気機器。
【請求項３】
当該電気機器の電源の入状態において稼働する第１の制御手段と，当該電気機器の電源の入状態及び切状態において稼働する第２の制御手段とを備えてなり，
前記第２の制御手段が，前記ソフトウェア更新情報表示手段を含んでなる請求項１又は２のいずれかに記載の電気機器。
【請求項４】
当該電気機器の電源の入状態において稼働する第１の制御手段と，当該電気機器の電源の入状態及び切状態において稼働する第２の制御手段とを備えてなり，
前記第２の制御手段が，前記電源入切状態検知手段により前記映像表示装置の電源の切状態が検知されているときに前記ソフトウェア更新処理手段によって前記ソフトウェアの更新処理が実行された後，次に前記電源入切状態検知手段によって前記映像表示装置の電源の入状態が検知された場合に，当該電気機器の電源を立ち上げる電源立上制御手段を含んでなり，
前記第１の制御手段が，前記ソフトウェア更新情報表示手段を含んでなる請求項１又は２のいずれかに記載の電気機器。
【請求項５】
前記ソフトウェア更新情報表示手段が，前記ソフトウェア更新情報を前記映像表示装置に表示させた後，所定の操作手段に対して確認操作が行われたか否かを判定する確認操作判定手段を含んでなり，該確認操作判定手段により前記確認操作が行われたと判定されるまでの間，前記映像表示装置の電源が切状態から入状態に移行するたびに，前記ソフトウェア更新情報を前記映像表示装置に表示させるものである請求項１〜４のいずれかに記載の電気機器。
【発明の詳細な説明】
【技術分野】
【０００１】
本発明は，テレビジョン放送などの映像を表示する映像表示装置とＨＤＭＩ（High Definition Multimedia Interface）規格に準拠した方式で通信を行うハードディスクレコーダなどの電気機器に関し，特に，前記電気機器におけるソフトウェアの更新処理に関するものである。
【背景技術】
【０００２】
従来から，ハードディスクレコーダ（ＰＶＲ）やＤＶＤレコーダなどの電気機器は，テレビジョン放送などの映像を表示するテレビジョン受像機などの映像表示装置に接続されて用いられる。前記電気機器では，予め記憶されたソフトウェア（制御プログラム）がマイコン等によって実行されることにより動作が制御される。
一方，インターネットやデジタルテレビ放送（衛星放送など）等のデータ通信網を介して更新データを取得し，該更新データに基づいて前記ソフトウェアのバージョンアップ（更新処理）を実行する電気機器が知られている（例えば，特許文献１参照）。また，このように構成された前記電気機器では，前記ソフトウェアを最新のバージョンに維持するように，夜中などに自動的に前記更新プログラムを取得して前記ソフトウェアのバージョンアップが実行されることがある。
【特許文献１】特開平１１−１０２２８７号公報
【発明の開示】
【発明が解決しようとする課題】
【０００３】
しかしながら，前記したようにソフトウェアのバージョンアップが自動的に実行される電気機器では，ユーザの知らない間にそのバージョンアップが実行されるため，ユーザはそのバージョンアップが実行されたことを認知することができないという問題が生じる。
そこで，前記電気機器でソフトウェアのバージョンアップが実行された場合に，その旨を該電気機器に接続された前記映像表示装置に出力して表示させることが考えられるが，該映像表示装置の電源が切られている状態であればその表示が行われない。
従って，本発明は上記事情に鑑みてなされたものであり，その目的とするところは，当該電気機器に接続されたテレビジョン受像機などの映像表示装置の電源が切られている状態で当該電気機器において実行されたソフトウェアの更新処理に関する情報をユーザに認知させることのできる電気機器を提供することにある。
【課題を解決するための手段】
【０００４】
上記目的を達成するために本発明は，映像を表示する映像表示装置との間でＣＥＣ規格を含むＨＤＭＩ規格に準拠した方式で通信を行うＨＤＭＩ通信手段と，当該電気機器の制御処理に用いられるソフトウェアを更新するための更新データを取得する更新データ取得手段と，前記更新データ取得手段によって取得された前記更新データに基づいて前記ソフトウェアの更新処理を実行するソフトウェア更新処理手段と，を備えてなる電気機器に適用されるものであって，前記ＨＤＭＩ通信手段を通じて前記映像表示装置の電源の入切状態を検知する電源入切状態検知手段と，前記電源入切状態検知手段により前記映像表示装置の電源の切状態が検知されているときに前記ソフトウェア更新処理手段によって前記ソフトウェアの更新処理が実行された後，次に前記電源入切状態検知手段によって前記映像表示装置の電源の入状態が検知された場合に，前記ソフトウェアの更新処理に関するソフトウェア更新情報を，前記ＨＤＭＩ通信手段を通じて前記映像表示装置に表示させるソフトウェア更新情報表示手段と，を備えてなることを特徴とする電気機器として構成される。
このように構成された前記電気機器は，該電気機器に接続されたテレビジョン受像機などの映像表示装置の電源が切られている状態で当該電気機器においてソフトウェアの更新処理が実行された場合には，次に前記映像表示装置の電源が入れられたときに，前記ソフトウェア更新情報を前記映像表示装置に表示させることによって，該ソフトウェア更新情報をユーザに認知させることができる。
具体的に，前記ソフトウェア更新情報表示手段は，ＣＥＣ規格で規定された通信プロトコルのＯＳＤ表示コマンドを用いて前記ソフトウェア更新情報を前記映像表示装置に送信することにより，該映像表示装置に前記ソフトウェア更新情報を表示させるものであることが考えられる。これにより，前記映像表示装置で他の映像が表示されている場合であっても，その映像と同時に前記ソフトウェア更新情報を表示させることができる。
【０００５】
ところで，前記電気機器に，当該電気機器の電源の入状態において稼働する第１の制御手段と，当該電気機器の電源の入状態及び切状態において稼働する第２の制御手段とが設けられている場合には，前記第２の制御手段が，前記ソフトウェア更新情報表示手段を含んでなることが望ましい。これにより，前記電気機器の電源を入状態に切り替えることなく，即ち前記電気機器の電源を立ち上げることなく前記ソフトウェア更新情報を前記映像表示装置に表示させることができる。
一方，前記第２の制御手段が，前記電源入切状態検知手段により前記映像表示装置の電源の切状態が検知されているときに前記ソフトウェア更新処理手段によって前記ソフトウェアの更新処理が実行された後，次に前記電源入切状態検知手段によって前記映像表示装置の電源の入状態が検知された場合に，当該電気機器の電源を立ち上げるように構成され，前記第１の制御手段が，前記ソフトウェア更新情報表示手段を含むように構成されることも考えられる。一般に，前記電気機器の電源が切状態であっても稼働する前記第２の制御手段には小容量の記憶手段（メモリ）しか設けられないが，前記電気機器の電源が切状態において停止する前記第１の制御手段（例えば，メインＣＰＵなど）には，比較的容量の大きい記憶手段が設けられる。そのため，前記したように前記第１の制御手段が，前記ソフトウェア更新情報表示手段を含むように構成すれば，前記ソフトウェア更新情報に付加して記憶しておく内容を増やすことができる。例えば，前記ソフトウェア更新情報の表示レイアウトを予め設定したレイアウト情報を付加することで，ユーザ所望の表示レイアウトで表示させることが可能となる。
【０００６】
また，ユーザに前記ソフトウェアの更新情報を確実に認知させるために，前記ソフトウェア更新情報表示手段が，前記ソフトウェア更新情報を前記映像表示装置に表示させた後，所定の操作手段に対して確認操作が行われたか否かを判定し，前記確認操作が行われたと判定されるまでの間は，前記映像表示装置の電源が切状態から入状態に移行するたびに，前記ソフトウェア更新情報を前記映像表示装置に表示させることが望ましい。これにより，前記所定の操作手段に対して確認操作が行われるまでの間，繰り返し前記ソフトウェア更新情報が表示されるため，ユーザは，前記ソフトウェア更新情報を確実に認知することができる。
【発明の効果】
【０００７】
本発明によれば，当該電気機器に接続されたテレビジョン受像機などの映像表示装置の電源が切られている状態で当該電気機器においてソフトウェアの更新処理が実行された場合には，次に前記映像表示装置の電源が入れられたときに，前記ソフトウェア更新情報を前記映像表示装置に表示させることによって，該ソフトウェア更新情報をユーザに認知させることができる。
【発明を実施するための最良の形態】
【０００８】
以下添付図面を参照しながら，本発明の実施の形態について説明し，本発明の理解に供する。尚，以下の実施の形態は，本発明を具体化した一例であって，本発明の技術的範囲を限定する性格のものではない。
ここに，図１は本発明の実施の形態に係る映像表示システムＺの概略構成を示すブロック図，図２は前記映像表示システムＺに設けられた電気機器Ｙ１，Ｙ２において実行されるソフトウェア更新処理の手順の一例を説明するためのフローチャート，図３は前記ソフトウェア更新処理における表示例を示す図である。
【０００９】
まず，図１に示すブロック図を用いて，本発明の実施形態に係る映像表示システムＺの構成について説明する。
前記映像表示システムＺは，映像を表示する映像表示部５を備えるテレビジョン受像機Ｘ（映像表示装置の一例）と，後述するソフトウェア更新機能を備える複数（図１では２台）の電気機器Ｙ１，Ｙ２とが，ＨＤＭＩ規格に準拠した信号伝送手段であるＨＤＭＩインターフェースＷによって通信可能に構成されたシステムである。
前記ＨＤＭＩインターフェースＷは，映像信号及び音声信号（いずれもデジタル信号）を伝送するＴＭＤＳライン４１と，ＨＤＭＩ規格のオプション規格であるＣＥＣ規格に準拠したＣＥＣライン４２を含んでいる。なお，前記ＴＭＤＳライン４１は，複数本の信号ラインにより構成され，前記ＴＭＤＳライン４１及び前記ＣＥＣライン４２は，見かけ上１本のＨＤＭＩケーブル４０として構成されている。
前記映像表示システムＺの特徴は，前記テレビジョン受像機Ｘの電源が立ち上げられたときに，前記電気機器Ｙ１，Ｙ２各々におけるソフトウェアの更新処理に関する情報が前記テレビジョン受像機Ｘに表示される点にある。その詳細については後述する。
【００１０】
［テレビジョン受像機Ｘ］
本発明の実施形態に係る前記テレビジョン受像機Ｘは，図１に示すように，チューナ１，２つのＨＤＭＩ受信部２ｘａ，２ｙａ，ＣＥＣインターフェース２ｘｂ，映像切替回路３，映像処理回路４，映像表示部５，制御回路６，リモコンインターフェース（Ｉ／Ｆ）回路７，リモコン８，サブＭＰＵ９，音声切替回路１０，音声処理回路１１，アンプ１２及びスピーカ１３等を具備して構成されている。なお，前記テレビジョン受像機Ｘは映像表示装置の一例であって，他に，パーソナルコンピュータなども本発明に係る映像表示装置に該当する。
【００１１】
前記チューナ１は，地上波放送信号やＢＳ衛星放送信号等の放送信号から，前記制御回路６により指示される放送チャンネルの信号を抽出（選局）するとともに，その抽出信号の検波によって映像信号及び音声信号を取り出し，その映像信号及び音声信号の各々を前記映像切替回路３及び前記音声切替回路１０各々へ伝送するものである。
また，前記ＨＤＭＩ受信部２ｘａ，２ｙａ（図中，ＨＤＭＩ−ＲＸと表記）は，ＨＤＭＩ規格に準拠した信号伝送インターフェースである。このＨＤＭＩ受信部２ｘａ，２ｙａは，前記ＴＭＤＳライン４１を通じて，外部装置（ここでは，電気機器Ｙ１，Ｙ２）からベースバンド方式で映像信号及び音声信号を入力し，それらを前記映像切替回路３及び前記音声切替回路１０各々へ伝送する。
前記ＣＥＣインターフェース２ｘｂ（図中，ＣＥＣ−ＩＦと表記）は，ＨＤＭＩ規格におけるＣＥＣ規格に準拠した信号伝送インターフェースである。このＣＥＣインターフェース２ｘｂは，前記ＣＥＣライン４２を通じて，外部装置（ここでは，電気機器Ｙ１，Ｙ２）との間で情報の送受信を行う。前記ＣＥＣインターフェース２ｘｂの受信情報の直接の伝送先及び送信情報の直接の供給元は，前記サブＭＰＵ９である。
図１に示す例では，前記テレビジョン受像機Ｘは，２台の前記電気機器Ｙ１，Ｙ２（外部装置）それぞれに対応する２つの前記ＨＤＭＩ受信部２ｘａ，２ｙａを備えている。また，前記ＣＥＣインターフェース２ｘｂは，２台の前記電気機器Ｙ１，Ｙ２に対して１つだけ設けられている。
【００１２】
前記映像切替回路３は，前記チューナ１及び前記ＨＤＭＩ受信部２ｘａ，２ｙａからの映像信号を入力し，それらの映像信号のうちの任意の１つの映像信号を前記制御回路６からの指示に従って選択して出力するものである。
前記映像処理回路４は，前記映像切替回路３から出力された映像信号に対して各種信号処理を行うものである。例えば，前記映像処理回路４は，前記映像切替回路３からの映像信号に，前記制御回路６から指定された情報の映像をスーパーインポーズする（重ね合わせる）ＯＳＤ機能を備えている。
前記映像表示部５は，液晶パネル及び液晶ドライバを備えた液晶表示部などにより構成され，前記映像処理回路４から出力される映像信号に基づく映像を表示するものである。
【００１３】
前記音声切替回路１０は，前記チューナ１からの音声信号及び前記ＨＤＭＩ受信部２ｘａ，２ｙａからの音声信号が入力され，それらの音声信号のうちの任意の１つの音声信号を，前記制御回路６からの指示に従って前記音声処理回路１１に出力するものである。
前記音声処理回路１１は，前記音声切替回路１０から出力された信号に対し，イコライズ処理やＤ／Ａ変換処理等を行うものである。
前記アンプ１２は，前記音声処理回路１１による処理後の音声信号を，前記制御回路６からの指示に従って増幅或いは減衰させる処理（ボリューム調節処理）を行い，前記スピーカ１３に出力するものである。前記スピーカ１３では，前記音声信号に基づく音声が出力（再生）される。
【００１４】
前記制御回路６は，演算手段であるＭＰＵ６ａ，そのＭＰＵ６ａによって実行される制御プログラムが予め格納される記憶手段であるＲＯＭ６ｂ（ＥＰＲＯＭ），前記ＭＰＵ６ａが実行する処理において読み書きされる各種情報を記憶するＥＥＰＲＯＭ６ｃ等を備え，当該テレビジョン受像機Ｘ全体を制御するものである。以下に示す前記制御回路６の処理や機能は，前記ＭＰＵ６ａが前記ＲＯＭ６ｂに記憶されたプログラムを実行することによって実現される。
前記リモコン８は，当該テレビジョン受像機Ｘの動作の制御用の無線信号（例えば，赤外線信号）を出力するリモート操作器であり，不図示の操作入力部や無線信号出力回路等を備えている。前記操作入力部は，チャンネル選択キーや音量調節キーなど，情報入力のための操作部であり，その操作内容に応じた信号が前記無線信号出力回路に伝送される。また，前記無線信号出力回路は，前記操作入力部から伝送されてくる信号（即ち，テレビジョン受像機Ｘの動作の制御信号）を，無線信号（例えば，赤外線信号）に変換し，当該リモコン８からテレビ本体側へ無線伝送するものである。
一方，前記リモコンインターフェース回路７は，前記リモコン８から伝送される無線信号（赤外線信号等）を受信し，これを電気信号に変換することにより，前記リモコン８から伝送される各種情報を取得するとともに，その取得情報を前記サブＭＰＵ９に伝送するものである。
【００１５】
前記サブＭＰＵ９は，前記制御回路６と，前記リモコンインターフェース回路７及び前記ＣＥＣインターフェース２ｘｂとの間で情報伝送を中継する処理を実行するマイクロコンピュータである。
また，前記サブＭＰＵ９は，前記ＣＥＣインターフェース２ｘｂから予め規定されたコマンドを受信した場合に，そのコマンドの種別に対応する処理を前記制御回路６に実行させるものである。例えば，前記サブＭＰＵ９は，前記電気機器Ｙ１，Ｙ２からＯＳＤ表示コマンドが受信された場合には，該ＯＳＤ表示コマンドと共に送信されたデータを前記映像表示部５にＯＳＤ表示させるための処理を前記制御回路６に実行させる。なお，前記ＯＳＤ表示コマンドは，ＨＤＭＩ規格におけるＣＥＣ規格の通信プロトコルとして標準で規定されたコマンドである。
【００１６】
また，前記テレビジョン受像機Ｘにおいて，前記ＨＤＭＩインターフェースＷの一部を構成する前記ＨＤＭＩ受信部２ｘａ，２ｙａ及び前記ＣＥＣインターフェース２ｘｂと，前記サブＭＰＵ９と，前記リモコンインターフェース回路７とは，当該テレビジョン受像機Ｘが商用電源に接続されている状態では，常時通電された状態となっている。即ち，これらの構成要素は，前記テレビジョン受像機Ｘの電源が切られた状態であっても稼働可能である。
一方，前記チューナ１や前記制御回路６等は，当該テレビジョン受像機Ｘが商用電源に接続されている状態において，それらへの通電がなされた稼動状態（電源立ち上げられた状態）と，それらへの通電が遮断された待機状態（電源立ち下げられた状態）との２状態に切り替えられる。その２状態の切り替えは，前記サブＭＰＵ９が不図示の通電スイッチの切り替え制御を行うことにより実現される。
例えば，前記サブＭＰＵ９は，当該テレビジョン受像機Ｘが前記待機状態である場合に，前記リモコン８から前記リモコンインターフェース回路７を通じて電源キーの操作信号が受信されたこと，或いは前記電気機器Ｙ１，Ｙ２から前記ＣＥＣインターフェース２ｘｂを通じて自装置宛の何らかのコマンドが受信されたことを検知すると，前記通電スイッチをＯＦＦ状態からＯＮ状態へ切り替えることにより，当該テレビジョン受像機Ｘを前記待機状態から前記稼動状態へ切り替える。
一方，前記サブＭＰＵ９は，当該テレビジョン受像機Ｘが前記稼動状態である場合に，前記リモコン８から前記リモコンインターフェース回路７を通じて電源キーの操作信号が受信されたこと，或いは前記電気機器Ｙ１，Ｙ２から前記ＣＥＣインターフェース２ｘｂを通じて停止コマンドが受信されたことを検知すると，前記通電スイッチをＯＮ状態からＯＦＦ状態へ切り替えることにより，当該テレビジョン受像機Ｘを前記稼動状態から前記待機状態へ切り替える。
【００１７】
［電気機器Ｙ１］
本発明の実施形態に係る前記電気機器Ｙ１は，図１に示すように，チューナ２１，録画・再生回路２２，ＨＤＤ２３（ハードディスクドライブ），ＨＤＭＩ送信部２５ａ，ＣＥＣインターフェース２５ｂ，制御回路２４（第１の制御手段の一例），リモコンインターフェース回路２６，リモコン２７及びサブＭＰＵ２８（第２の制御手段の一例）等を具備して構成されたハードディスクレコーダである。なお，本実施の形態では，前記電気機器Ｙ１がハードディスクレコーダである場合について説明するが，ＤＶＤレコーダやＤ−ＶＨＳレコーダ，ビデオカメラ，その他のＨＤＭＩ規格対応の電化製品なども本発明に係る電気機器に該当する。また，前記電気機器Ｙ１，Ｙ２は同様に構成されたものであるため，前記電気機器Ｙ１について説明し，前記電気機器Ｙ２についての説明は省略する。
ここで，前記チューナ２１，前記リモコンインターフェース回路２６，前記リモコン２７，前記サブＭＰＵ２８は，それぞれ前記テレビジョン受像機Ｘにおける前記チューナ１，前記リモコンインターフェース回路７，前記リモコン８及び前記サブＭＰＵ９と同様のものである。
【００１８】
前記録画・再生回路２２は，放送番組の録画処理及び録画番組の再生処理を実行するものである。即ち，前記録画・再生回路２２は，前記チューナ２１により抽出された番組の放送信号（映像信号及び音声信号）を圧縮符号化して前記ＨＤＤ２３に記録する録画処理を実行する。さらに，前記録画・再生回路２２は，前記ＨＤＤ２３に録画（記録）された放送番組のデータを復号化しながら前記ＨＤＭＩ送信部２５ａを通じて外部出力する再生処理を実行する。
さらに，前記録画・再生回路２２は，前記チューナ２１により抽出された番組の放送信号から，そこに含まれるＥＰＧ情報（電子番組ガイド情報）を抽出して前記ＨＤＤ２３に記録するＥＰＧ取得機能も備えている。
前記ＨＤＭＩ送信部２５ａ（図中，ＨＤＭＩ−ＴＸと表記）は，ＨＤＭＩ規格に準拠した信号伝送インターフェースである。このＨＤＭＩ送信部２５ａは，前記ＴＭＤＳライン４１を通じて，外部装置（ここでは，テレビジョン受像機Ｘ）に対し，ベースバンド方式で映像信号及び音声信号を出力する。
前記ＣＥＣインターフェース２５ｂ（図中，ＣＥＣ−ＩＦと表記）は，前記テレビジョン受像機Ｘにおける前記ＣＥＣインターフェース２ｘｂと同様に，ＨＤＭＩ規格におけるＣＥＣ規格に準拠した信号伝送インターフェースである。このＣＥＣインターフェース２５ｂは，前記ＣＥＣライン４２を通じて，外部装置（ここでは，テレビジョン受像機Ｘ）との間で情報の送受信を行う。前記ＣＥＣインターフェース２５ｂの受信情報の直接の伝送先及び送信情報の直接の供給元は，前記サブＭＰＵ２８である。
また，前記サブＭＰＵ２８は，前記ＣＥＣインターフェース２５ｂを介して接続された前記テレビジョン受像機Ｘの電源の入切状態を，該ＣＥＣインターフェース２５ｂを通じて検知する電源入切状態検知機能を有している。ここに，かかる電源入切状態検知機能を具現するときの前記サブＭＰＵ２８が電源入切状態検知手段に相当する。
【００１９】
前記電気機器Ｙ１では，前記ＨＤＭＩ送信部２５ａ，前記ＣＥＣインターフェース２５ｂ及び前記サブＭＰＵ２８によって，前記テレビジョン受像機Ｘとの間でＣＥＣ規格を含むＨＤＭＩ規格に準拠した方式で各種のデータの通信が行われる。ここに，前記ＨＤＭＩ送信部２５ａ及び前記ＣＥＣインターフェース２５ｂが，ＨＤＭＩ通信手段の一例である。
【００２０】
また，前記電気機器Ｙ１において，前記ＨＤＭＩインターフェースＷの一部を構成する前記ＨＤＭＩ送信部２５ａ及び前記ＣＥＣインターフェース２５ｂと，前記サブＭＰＵ２８と，前記リモコンインターフェース回路２６とは，当該電気機器Ｙ１が商用電源に接続されている状態では，常時通電された状態となっている。即ち，これらの構成要素は，前記電気機器Ｙ１の電源が切られた状態であっても稼働可能である。
一方，前記チューナ２１や前記制御回路２４，前記録画・再生回路２２及び前記ＨＤＤ２３等は，当該電気機器Ｙ１が商用電源に接続されている状態において，それらへの通電がなされた稼動状態（電源立ち上げられた状態）と，それらへの通電が遮断された待機状態（電源立ち下げられた状態）との２状態に切り替えられる。その２状態の切り替えは，前記サブＭＰＵ２８が不図示の通電スイッチの切り替え制御を行うことにより実現される。
【００２１】
例えば，前記サブＭＰＵ２８は，当該電気機器Ｙ１が前記待機状態（電源切状態）である場合に，前記リモコン２７から前記リモコンインターフェース回路２６を通じて電源キーの操作信号が受信されたこと，或いは前記テレビジョン受像機Ｘから前記ＣＥＣインターフェース２５ｂを通じて自装置宛の何らかのコマンドが受信されたことを検知すると，前記通電スイッチをＯＦＦ状態からＯＮ状態へ切り替えることにより，当該電気機器Ｙ１を前記待機状態から前記稼動状態へ切り替える。また，前記サブＭＰＵ２８は，後述するように，前記テレビジョン受像機Ｘの電源が立ち上げられた場合にも，該電気機器Ｙ１を前記待機状態から前記稼動状態へ切り替える。
一方，前記サブＭＰＵ２８は，当該電気機器Ｙ１が前記稼動状態（電源入状態）である場合に，前記リモコン２７から前記リモコンインターフェース回路２６を通じて電源キーの操作信号が受信されたこと，或いは前記テレビジョン受像機Ｘから前記ＣＥＣインターフェース２５ｂを通じて停止コマンドが受信されたことを検知すると，前記通電スイッチをＯＮ状態からＯＦＦ状態へ切り替えることにより，当該電気機器Ｙ１を前記稼動状態から前記待機状態へ切り替える。また，前記サブＭＰＵ２８は，後述するように，前記電気機器Ｙ１におけるソフトウェア更新情報を前記テレビジョン受像機Ｘに通知した後にも，該電気機器Ｙ１を前記稼動状態から前記待機状態へ切り替える。
【００２２】
前記制御回路２４は，演算手段であるＭＰＵ２４ａ（ソフトウェア実行制御手段の一例），そのＭＰＵ２４ａによって実行されるソフトウェア（制御プログラム）が予め格納される記憶手段であるＥＥＰＲＯＭ２４ｂ，前記ＭＰＵ２４ａが実行する処理において読み書きされる各種情報を記憶するＲＡＭ２４ｃ等を備え，当該電気機器Ｙ１全体を制御するものである。
以下に示す前記制御回路２４の処理や機能は，前記ＭＰＵ２４ａが前記ＥＥＰＲＯＭ２４ｂに記憶されたソフトウェアに従って処理を実行することによって実現される。
【００２３】
また，前記電気機器Ｙ１では，前記制御回路２４によって，前記ＥＥＰＲＯＭ２４ｂに記憶された前記ソフトウェアを自動的に更新するソフトウェア更新処理が実行される。このソフトウェア更新処理は，予め設定された時刻や所定の時間経過ごとに，前記チューナ２１によって受信されたＢＳ衛星放送信号に含まれた更新データを抽出し，該更新データに基づいて前記ＥＥＰＲＯＭ２４ｂに記憶された前記ソフトウェアを自動的に更新するものである。これにより，前記電気機器Ｙ１では，前記ＥＥＰＲＯＭ２４ｂに記憶されたソフトウェアのバージョンが最新に保たれる。なお，前記ソフトウェア更新処理は，これに限られず，例えば前記チューナ２１によって受信されたＢＳ衛星放送信号に含まれた更新データが，前記ＥＥＰＲＯＭ２４ｂに記憶されたソフトウェアよりも新しいバージョンに対応する情報である場合に，その更新データに基づいて前記ソフトウェアを更新するものであってもよい。
但し，このように実行される前記ソフトウェア更新処理では，ユーザの操作が介在しないため，ユーザの知らない間に前記ソフトウェアが更新されることになる。
本発明の実施の形態に係る前記電気機器Ｙ１では，前記ソフトウェア更新処理によって前記ソフトウェアが更新された場合に，その旨を前記テレビジョン受像機Ｘに表示させることによりユーザに認知させることができる。
【００２４】
以下，図２に示すフローチャートを参照しつつ，前記電気機器Ｙ１（Ｙ２）において実行されるソフトウェア更新処理の手順について説明する。なお，図中に示すＳ１，Ｓ２，…は，処理手順（ステップ）番号を表す。
［ステップＳ１，Ｓ２］
まず，ステップＳ１では，前記サブＭＰＵ２８によって，前記ソフトウェアを更新するタイミングが到来したか否かが判断される。このタイミングは，前記したように，予め設定された時刻や所定の時間経過ごと，或いは新しいバージョンに対応する更新データが受信された場合などである。
ここで，前記ソフトウェアを更新するタイミングが到来したと判断された場合には（Ｓ１のＹｅｓ側），処理はステップＳ２に移行する。なお，前記ソフトウェアを更新するタイミングが到来していないと判断されている間は（Ｓ１のＮｏ側），前記ステップＳ１の処理が繰り返し実行される。
ステップＳ２では，前記サブＭＰＵ２８によって，前記電気機器Ｙ１の電源が立ち上げられる，即ち前記電気機器Ｙ１が前記待機状態から前記稼動状態に切り替えられる。具体的には，前述したように前記通電スイッチがＯＦＦ状態からＯＮ状態に切り替えられる。これにより，前記電気機器Ｙ１では，前記制御回路２４が稼働する。なお，前記電気機器Ｙ１が既に前記稼動状態である場合には，その状態が維持される。
【００２５】
［ステップＳ３］
そして，ステップＳ３では，前記制御回路２４によって前記チューナ２１が制御されることにより，該チューナ２１で受信されたＢＳ衛星放送信号に含まれた更新データが抽出されて前記制御回路２４に入力される。ここに，かかる処理を実行することにより前記更新データを取得するときの前記制御回路２４が更新データ取得手段に相当する。
なお，ここでは，前記ＢＳ衛星放送信号に前記更新データが含まれている場合について説明するが，前記電気機器Ｙ１がインターネット等の他のデータ通信網に接続されている場合には，そのデータ通信網から前記更新データをダウンロードすることも他の実施例として考えられる。
【００２６】
［ステップＳ４，Ｓ５］
その後，ステップＳ４では，前記制御回路２４によって，前記更新データに基づいて前記ＥＥＰＲＯＭ２４ｂに記憶された前記ソフトウェアの更新処理（バージョンアップ）が開始される。ここに，かかる更新処理を実行するときの前記制御回路２４がソフトウェア更新処理手段に相当する。
そして，ステップＳ５では，前記サブＭＰＵ２８の電源入切状態検知機能によって，前記テレビジョン受像機Ｘの電源が入状態であるか切状態であるかが判定される。ここで，前記テレビジョン受像機Ｘの電源が入状態であると判断された場合には（Ｓ５のＹｅｓ側），処理はステップＳ５１に移行し，切状態であると判断された場合には（Ｓ５のＮｏ側），処理はステップＳ６に移行する。
【００２７】
［ステップＳ５１，Ｓ５２］
ステップＳ５１では，前記制御部２４によって，前記ソフトウェアの更新処理が実行されている旨を示す更新実行情報が，ＣＥＣ規格で規定された通信プロトコルのＯＳＤコマンドを用いて前記ＣＥＣライン４２を通じて前記テレビジョン受像機Ｘに送信される。
これにより，前記テレビジョン受像機Ｘでは，前記ＯＳＤコマンドに従って，前記映像表示部５に前記更新実行情報が表示される。ここに，図３（ａ）は，前記映像表示部５による前記更新実行情報の表示例を示すものである。図３（ａ）に示すように，前記ソフトウェアの更新処理の実行中には，例えば「電気機器Ｙ１のソフトウェアをＶｅｒ．ＸからＶｅｒ．Ｙに更新中です」が表示される。なお，この更新実行情報の表示（図示するｖ１）は，前記映像切替回路３から出力された前記チューナ１，前記ＨＤＭＩ受信部２ｘａ，２ｙａのいずれかからの映像の表示（図示するｖ０）と同時に行われる。
また，前記更新実行情報は，前記ＣＥＣライン４２を通じて送信されるものであるため，前記更新実行情報を送信している前記電気機器Ｙ１と異なる電気機器Ｙ２から前記ＴＭＤＳライン４１を通じて受信される映像を表示しながら前記更新実行情報を表示させることも可能である。なお，複数の前記電気機器Ｙ１，Ｙ２でソフトウェアの更新処理が実行されている場合には，前記テレビジョン受像機Ｘに複数の更新実行情報が送信されることがあるが，その場合には複数の更新実行情報を並べてリスト表示することが考えられる。
そして，ステップＳ５２では，前記制御回路２４によって，前記ソフトウェアの更新処理が終了したか否かが判断される。ここで，前記ソフトウェアの更新処理が終了したと判断されると（Ｓ５２のＹｅｓ側），処理はステップＳ５３に移行する。
一方，前記ソフトウェアの更新処理が終了していないと判断されている場合には，前記更新実行情報の表示が継続される（Ｓ５２のＮｏ側）。なお，前記ステップＳ５１において，更新処理の進捗状況や更新処理終了までの予定時間などを随時表示することも他の実施例として考えられる。
【００２８】
［ステップＳ５３，５４］
ステップＳ５３では，前記制御回路２４によって，前記ソフトウェアの更新処理が終了されたことを示す更新終了情報（ソフトウェア更新情報の一例）が，ＣＥＣ規格で規定された通信プロトコルのＯＳＤコマンドを用いて前記ＣＥＣライン４２を通じて前記テレビジョン受像機Ｘに送信される。
これにより，前記テレビジョン受像機Ｘでは，前記ＯＳＤコマンドに従って，前記映像表示部５に前記更新終了情報が表示される。ここに，図３（ｂ）は，前記映像表示部５による前記更新終了情報の表示例を示すものである。図３（ｂ）に示すように，前記ソフトウェアの更新処理の終了後には，例えば「電気機器Ｙ１のソフトウェアの更新処理完了。Ｖｅｒ．Ｙに更新されました」が表示される。なお，前記更新終了情報に，更新日時やソフトウェアの更新内容が含まれることも考えられる。
このとき，この更新終了情報の表示（図示するｖ２）は，前記映像切替回路３から出力された前記チューナ１，前記ＨＤＭＩ受信部２ｘａ，２ｙａのいずれかからの映像の表示（図示するｖ０）と同時に行われる。また，前記更新終了情報は，前記ＣＥＣライン４２を通じて送信されるものであるため，前記更新終了情報を送信している前記電気機器Ｙ１と異なる電気機器Ｙ２から前記ＴＭＤＳライン４１を通じて受信される映像を表示しながら前記更新終了情報を表示させることも可能である。なお，複数の前記電気機器Ｙ１，Ｙ２でソフトウェアの更新処理が実行されている場合には，前記テレビジョン受像機Ｘに複数の更新終了情報が受信されることがあるが，その場合には複数の更新終了情報を並べてリスト表示することが考えられる。なお，前記更新終了情報の表示は所定時間の経過後に消去される。
その後，ステップＳ５４では，前記サブＭＰＵ２８によって前記電気機器Ｙ１の電源が立ち下げられ，当該ソフトウェア更新処理は終了される。なお，前記ステップＳ１において既に前記電気機器Ｙ１の電源が入状態であった場合には，前記ステップＳ５４で前記電気機器Ｙ１の電源を立ち下げないことも考えられる。
【００２９】
［ステップＳ６〜Ｓ８］
一方，前記ステップＳ５において，前記テレビジョン受像機Ｘの電源が切状態であると判断された場合に実行されるステップＳ６では，前記制御回路２４によって，前記ソフトウェアの更新処理が終了したか否かが判断される。ここで，前記ソフトウェアを更新処理が終了していないと判断されている間は（Ｓ６のＮｏ側），前記ステップＳ６の処理が繰り返し実行される。
一方，前記ソフトウェアの更新処理が終了したと判断されると（Ｓ６のＹｅｓ側），処理はステップＳ７に移行して，前記制御回路２４によって，前記更新終了情報が前記ＥＥＰＲＯＭ２４ｂに記憶される。即ち，この時点では，前記更新終了情報は表示されない。
そして，ステップＳ８では，前記制御回路２４からの指示により，前記サブＭＰＵ２８が，前記電気機器Ｙ１の電源を立ち下げる。
【００３０】
［ステップＳ９，Ｓ１０］
その後，ステップＳ９では，前記サブＭＰＵ２８の電源入切状態検知機能によって，前記テレビジョン受像機Ｘの電源が切状態から入状態に移行したか否かが判断される。ここで，前記テレビジョン受像機Ｘの電源が切状態から入状態に移行したと判断された場合には（Ｓ９のＹｅｓ側），処理はステップＳ１０に移行する。なお，前記テレビジョン受像機Ｘの電源が切状態から入状態に移行していないと判断されている間は（Ｓ９のＮｏ側），前記ステップＳ９の処理が繰り返し実行される。
そして，ステップＳ１０では，前記サブＭＰＵ２８によって，前記電気機器Ｙ１の電源が立ち上げられ，処理は前記ステップＳ５３に移行する。ここに，かかる処理を実行するときの前記サブＭＰＵ２８が電源立上制御手段に相当する。なお，前記電気機器Ｙ１が稼動状態である場合には，その状態が維持される。
そして，前記ステップＳ５３では，前述したように，前記ソフトウェアの更新処理が終了した旨を示す前記更新終了情報が，前記制御回路２４によって前記テレビジョン受像機Ｘに前記ＣＥＣライン４２を通じて送信されることにより，該更新終了情報が前記テレビジョン受像機Ｘの映像表示部５に表示される。即ち，前記テレビジョン受像機Ｘの電源が切れているときに前記ソフトウェアの更新処理が実行された場合には，次に前記テレビジョン受像機Ｘの電源の入れられたときに，前記サブＭＰＵ２８によって前記電気機器Ｙ１の電源が立ち上げられ，これにより稼働された前記制御回路２４によって，前記更新終了情報が前記テレビジョン受像機Ｘに表示される。ここに，かかる処理を実行するときの前記制御回路２４（第１の制御手段の一例）がソフトウェア更新情報表示手段に相当する。なお，前記更新終了情報の表示は所定時間の経過後に消去される。
また，前記更新終了情報の表示のレイアウトなどは予め設定することも可能であって，該設定内容は前記ＥＥＰＲＯＭ２４ｂに記憶され，前記更新終了情報の送信時に同時に送信される。これにより，前記テレビジョン受像機Ｘでは，前記更新終了情報が前記設定内容に従って表示される。
【００３１】
以上，説明したように，前記電気機器Ｙ１では，前記テレビジョン受像機Ｘの電源が切れているときに前記ソフトウェアの更新処理が実行された後，次に前記テレビジョン受像機Ｘの電源の入れられた場合に，前記ソフトウェアの更新処理に関するソフトウェア更新情報の一例として前記更新終了情報を，前記ＣＥＣライン４２を通じて前記テレビジョン受像機Ｘに表示させるように処理される。したがって，ユーザは，前記テレビジョン受像機Ｘの電源を入れるだけで，該テレビジョン受像機Ｘの映像表示部５に表示された情報を見ることにより，該テレビジョン受像機Ｘの電源が切れているときに前記電気機器Ｙ１のソフトウェアの更新処理が実行されたことやその内容を容易に知ることができる。
【００３２】
さらに，前記制御回路２４が，前記電気機器Ｙ１でソフトウェアの更新処理が実行されたことがユーザに認知されたことを確認するまで，例えば前記更新終了情報の表示時に前記リモコン８等（所定の操作手段の一例）によって確認操作が行われるまでの間は，前記テレビジョン受像機Ｘの電源が入れられるたびに，前記更新終了情報を該テレビジョン受像機Ｘに表示させるように処理することも他の実施例として考えられる。これにより，ユーザに前記電気機器Ｙ１のソフトウェアが更新されたことを確実に通知することができる。ここに，前記リモコン８等（所定の操作手段の一例）によって確認操作が行われたか否かを判断するときの前記制御回路２４が確認操作判定手段に相当する。
【００３３】
なお，本実施の形態では，前記更新実行情報や前記更新終了情報が，前記ＯＳＤ表示コマンドを用い，前記ＣＥＣライン４２を通じて送信される場合を例に挙げて説明したが，これに限られず，例えば，前記電気機器Ｙ１が，前記テレビジョン受像機Ｘに入力切換を実行させるためのコマンドを前記ＣＥＣライン４２を通じて送信した後，前記更新実行情報や前記更新終了情報を映像信号として前記ＴＭＤＳライン４１を通じて前記テレビジョン受像機Ｘに出力することにより，前記更新実行情報や前記更新終了情報を前記テレビジョン受像機Ｘに表示させる構成も他の実施例として考えられる。
また，図１に示した前記映像表示システムＺは，前記テレビジョン受像機Ｘと前記電気機器Ｙ１とが，前記ＨＤＭＩインターフェースＷにより直接的に接続された構成を示したが，本発明の実施形態はこれに限るものではない。例えば，前記テレビジョン受像機Ｘと不図示のＤＶＤレコーダとが前記ＨＤＭＩインターフェースＷにより接続され，その不図示のＤＶＤレコーダと前記電気機器Ｙ１とがさらにＨＤＭＩインターフェースＷにより接続された構成（間接的に接続された構成）も考えられる。
【実施例１】
【００３４】
前記実施の形態では，前記ステップＳ９において，前記テレビジョン受像機Ｘの電源が立ち上げられたと判断された場合には，続くステップＳ１０において前記サブＭＰＵ２８が前記電気機器Ｙ１の電源を立ち上げ，これにより稼働された前記制御回路２４が，前記ステップＳ５３において前記更新終了情報を前記テレビジョン受像機Ｘに送信するための処理を実行する場合を例に挙げて説明した。一方，前記サブＭＰＵ２８が前記制御回路２４に換わって前記ステップＳ５３の処理を実行することも他の実施例として考えられる。
具体的には，前記ソフトウェアの更新処理が実行されたときに前記テレビジョン受像機Ｘの電源が切状態である場合，前記ステップＳ７では，前記制御回路２４によって，前記更新終了情報が前記サブＭＰＵ２８の内部メモリ（不図示），或いは前記サブＭＰＵ２８がアクセス可能な記憶手段（不図示）に記憶される。
そして，前記ステップＳ９において，前記サブＭＰＵ２８によって前記テレビジョン受像機Ｘの電源が立ち上げられたと判断された場合には，前記電気機器Ｙ１の電源を立ち上げることなく，処理が前記ステップＳ５３に移行される。
その後，前記ステップＳ５３では，前記サブＭＰＵ２８によって，該サブＭＰＵ２８の内部メモリ（不図示），或いは前記サブＭＰＵ２８がアクセス可能な記憶手段（不図示）から前記更新終了情報が読み出され，ＣＥＣ規格で規定された通信プロトコルのＯＳＤコマンドを用いて前記ＣＥＣライン４２を通じて前記テレビジョン受像機Ｘに送信される。この場合には，前記更新終了情報を前記テレビジョン受像機Ｘに表示させるための処理を実行するときの前記サブＭＰＵ２８（第２の制御手段の一例）がソフトウェア更新情報表示手段に相当する。
このような構成では，前記更新終了情報を前記テレビジョン受像機Ｘに表示させる際に，前記電気機器Ｙ１の電源を立ち上げる必要がないため，省電力化を図ることができる。
【実施例２】
【００３５】
また，前記テレビジョン受像機Ｘの電源が入っている状態で，前記電気機器Ｙ１においてソフトウェアの更新処理が開始された後，該更新処理が終了するまでの間に，前記テレビジョン受像機Ｘの電源が切られた場合には，前記更新終了情報を前記テレビジョン受像機Ｘに表示させることができない。
そこで，このような場合にも，前記ステップＳ６以後の処理，即ち，次に前記テレビジョン受像機Ｘの電源が立ち上げられたときに，前記更新終了情報を表示させることが望ましい。
具体的には，前記ステップＳ５２の前段に，前記サブＭＰＵ２８によって前記テレビジョン受像機Ｘの電源が切られたか否かを判断するための処理を挿入し，該処理において，前記テレビジョン受像機Ｘの電源が切られたと判断された場合に，前記ステップＳ６に移行するように構成される。これにより，前記電気機器Ｙ１では，前記ソフトウェアの更新処理の実行中に前記テレビジョン受像機Ｘの電源が切られた場合には，次に前記テレビジョン受像機Ｘの電源が立ち上げられたときに，該テレビジョン受像機Ｘに前記更新終了情報が表示される。
【実施例３】
【００３６】
また，前記テレビジョン受像機Ｘの電源が入っている状態で，前記電気機器Ｙ１においてソフトウェアの更新処理が開始された後，該更新処理が終了するまでの間に，前記リモコン８等から前記テレビジョン受像機Ｘの電源を切るための要求が行われた場合に，前記テレビジョン受像機Ｘの電源の入状態を前記ソフトウェアの更新処理の終了時まで継続させることも他の実施例として考えられる。
具体的に，前記テレビジョン受像機Ｘの前記サブＭＰＵ９は，前記電気機器Ｙ１から前記更新実行情報を受信した後，前記更新終了情報が受信されるまでの間に，前記リモコン８等から前記テレビジョン受像機Ｘの電源を切るための要求が行われた場合には，その動作を保留して，図４に示すように「電気機器Ｙ１においてソフトウェアの更新処理を実行中。終了次第電源を切ります。」（図示するｖ３）を前記映像表示部５に表示させる。そして，前記サブＭＰＵ９は，前記更新終了情報が受信され，該更新終了情報が所定時間表示されると，前記テレビジョン受像機Ｘの電源を立ち下げる。これにより，前記電気機器Ｙ１でソフトウェアの更新処理が実行されていることを，ユーザに知らせることができる。
【図面の簡単な説明】
【００３７】
【図１】本発明の実施の形態に係る映像表示システムの概略構成を示すブロック図。
【図２】本発明の実施の形態に係る電気機器において実行されるソフトウェア更新処理の手順の一例を説明するためのフローチャート。
【図３】ソフトウェア更新処理における映像表示部の表示例を示す図。
【図４】ソフトウェア更新処理における映像表示部の表示例を示す図。
【符号の説明】
【００３８】
Ｘ…テレビジョン受像機（映像表示装置の一例）
Ｙ１，Ｙ２…電気機器
Ｚ…映像表示システム
１，２１…チューナ
２ｘａ，２ｙａ…ＨＤＭＩ受信部
２ｘｂ，２５ｂ…ＣＥＣインターフェース
３…映像切替回路
４…映像処理回路
５…映像表示部
６，２４…制御回路
７，２６…リモコンインターフェース回路
８，２７…リモコン
９，２８…サブＭＰＵ
１０…音声切替回路
１１…音声処理回路
１２…アンプ
１３…スピーカ
２２…録画・再生回路
２３…ＨＤＤ
２５ａ…ＨＤＭＩ送信部
４０…ＨＤＭＩケーブル
４１…ＴＭＤＳライン
４２…ＣＥＣライン
【図１】
2008141504.tif 000003
【図２】
2008141504.tif 000004
【図３】
2008141504.tif 000005
【図４】
2008141504.tif 000006